(57)【要約】【課題】  選択されたときに、小画面を拡大表示することによって、ユーザが選局し易くなる多画面表示するテレビジョン受像装置を提供する。【解決手段】  テレビジョン受像装置における表示制御方法は、複数の小画面から選択された一の小画面の位置情報と倍率情報とに基づいて、選択された一の小画面を拡大表示することが可能な拡大基準位置を決定する。そして、拡大基準位置と倍率情報とに基づいて、選択された一の小画面を表示部上に拡大表示させ、拡大表示された小画面に、受信した番組の内容を示す番組情報及び番組の映像情報を表示させる。【選択図】  図２
2007060555.tif 000002
【特許請求の範囲】
【請求項１】
表示手段上の一つの画面を複数の小画面に分割し、各小画面に対応する情報の表示を制御するテレビジョン番組表示装置であって、
前記複数の小画面から選択された一の小画面の位置情報と倍率情報とに基づいて、当該選択された一の小画面を拡大表示することが可能な拡大基準位置を決定する基準位置決定手段と、
前記拡大基準位置と前記倍率情報とに基づいて、前記選択された一の小画面を前記表示手段上に拡大表示させる小画面表示制御手段と、
前記小画面表示制御手段により拡大表示された小画面に、受信した番組の内容を示す番組情報及び番組の映像情報を表示させる受信情報表示制御手段と
を備えることを特徴とするテレビジョン番組表示装置。
【請求項２】
前記小画面表示制御手段は、前記拡大表示した一の小画面と、選択されていない他の小画面とが重複する重なり領域を判定し、当該重なり領域における表示を制御することを特徴とする請求項１に記載のテレビジョン番組表示装置。
【請求項３】
前記小画面表示制御手段は、前記一の小画面の表示と、前記重なり領域に対応する他の小画面の表示とを、前記表示手段上に表示させることを特徴とする請求項２に記載のテレビジョン番組表示装置。
【請求項４】
前記小画面表示制御手段は、前記一の小画面を表示させて、前記他の小画面を非表示とするように制御することを特徴とする請求項２に記載のテレビジョン番組表示装置。
【請求項５】
前記番組の映像情報には、当該番組の動画または静止画が含まれることを特徴とする請求項１に記載のテレビジョン番組表示装置。
【請求項６】
前記一の小画面の選択が解除された場合、
前記小画面表示制御手段は、前記一の小画面の位置情報と拡大表示前の表示サイズとに基づいて、前記一の小画面を縮小表示させることを特徴とする請求項１に記載のテレビジョン番組表示装置。
【請求項７】
前記受信情報表示制御手段は、前記選択が解除された一の小画面、または選択されていない他の小画面に対する表示を、受信した番組の静止画により順次更新することを特徴とする請求項５または６に記載のテレビジョン番組表示装置。
【請求項８】
前記受信情報表示制御手段は、前記選択されていない他の小画面が非表示に制御される小画面である場合、前記静止画の表示の更新を行わないことを特徴とする請求項７に記載のテレビジョン番組表示装置。
【請求項９】
指定された番組情報と、受信した番組情報とが一致するか判定する判定手段を更に備え、
前記小画面表示制御手段は、前記判定手段の判定により、前記指定された番組情報と、前記受信した番組情報とが一致する場合、当該受信した番組情報を表示する小画面の表示サイズを拡大することを特徴とする請求項１に記載のテレビジョン番組表示装置。
【請求項１０】
前記小画面表示制御手段は、前記判定手段の判定により、前記指定された番組情報と、前記受信した番組情報とが一致する場合、当該受信した番組情報を表示する小画面の配置を変更することを特徴とする請求項９に記載のテレビジョン番組表示装置。
【請求項１１】
表示手段上の一つの画面を複数の小画面に分割し、各小画面に対応する情報の表示を制御するテレビジョン番組表示装置における表示制御方法であって、
前記複数の小画面から選択された一の小画面の位置情報と倍率情報とに基づいて、当該選択された一の小画面を拡大表示することが可能な拡大基準位置を決定する基準位置決定工程と、
前記拡大基準位置と前記倍率情報とに基づいて、前記選択された一の小画面を前記表示手段上に拡大表示させる小画面表示制御工程と、
前記小画面表示制御工程により拡大表示された小画面に、受信した番組の内容を示す番組情報及び番組の映像情報を表示させる受信情報表示制御工程と
を備えることを特徴とする表示制御方法。
【請求項１２】
請求項１１に記載の表示制御方法をコンピュータに実行させることを特徴とするプログラム。
【請求項１３】
請求項１２に記載のプログラムを格納したことを特徴とするコンピュータ可読の記憶媒体。
【発明の詳細な説明】
【技術分野】
【０００１】
本発明はテレビジョン番組表示装置及びその表示制御技術に関し、特に、複数チャンネルの情報を分割表示した小画面群に表示した状態（多画面表示状態）において、番組内容を確認しながら選局可能な装置等に関する。
【背景技術】
【０００２】
従来、選局の利便性を向上させるために、画面上に複数の小画面を分割表示し、複数チャンネルの受信映像を個々の小画面に表示し、小画面群の中から所望のチャンネルを選択する機能を有する装置が知られている（特許文献１参照）。小画面は一般的に静止画で表示されていて、また、縮小表示されているため、番組内容が把握しづらいという問題があった。
【特許文献１】特開平５−１２２６３０号公報
【発明の開示】
【発明が解決しようとする課題】
【０００３】
そこで、本発明は、多画面表示状態において、選局中に番組の内容を把握し易くし、視線の移動が少ない選局の利便性に優れたテレビジョン番組表示装置等を提供することを目的とする。
【課題を解決するための手段】
【０００４】
上記の課題を解決するために、本発明のテレビジョン受像装置は、主として以下の構成を備えることを特徴とする。
【０００５】
すなわち、表示手段上の一つの画面を複数の小画面に分割し、各小画面に対応する情報の表示を制御するテレビジョン番組表示装置は、
前記一つの画面上に配置されている、前記複数の小画面から選択された一の小画面の位置情報と倍率情報とに基づいて、当該選択された一の小画面を拡大表示することが可能な拡大基準位置を決定する基準位置決定手段と、
前記拡大基準位置と前記倍率情報とに基づいて、前記選択された一の小画面を前記表示手段上に拡大表示させる小画面表示制御手段と、
前記小画面表示制御手段により拡大表示された小画面に、受信した番組の内容を示す番組情報及び番組の映像情報を表示させる受信情報表示制御手段と
を備えることを特徴とする。
【発明の効果】
【０００６】
本発明によれば、多画面表示状態において、選局中に番組の内容を把握し易くし、視線の移動が少ない選局の利便性に優れたテレビジョン番組表示装置等の提供が可能になる。
【発明を実施するための最良の形態】
【０００７】
＜実施形態１＞
本実施形態を、図面を用いて説明する。図１は、テレビジョン番組表示装置であるところの本実施形態のテレビジョン受像装置の構成を示すブロック図である。図１において、入力部１０１は、リモートコントローラ受信部及び、テレビジョン受像装置に接続された操作部、放送信号を受信するチューナ部、ネットワークインタフェースなどを含む。制御部１０２は、画面の分割表示、単一表示など表示状態の制御、受信するチャンネルの切り替えなどのチューナ部の制御などを行う。表示部１０３は、ＣＲＴや液晶などの表示部分である。メモリ部１０４は、チューナから得られた画像情報や番組情報、現在の表示状態などを保持する。本実施形態では、チューナを二つ備えたテレビジョン受像装置について説明する。以下、チューナをチューナ１、２として参照する。
【０００８】
本実施形態に係るテビジョン受像装置は、表示部１０３の一つの画面を複数の小画面に分割し、各小画面に対応する情報の表示を制御することが可能である。制御部１０２は、複数の小画面から選択された一の小画面の位置情報と倍率情報とに基づいて、選択された一の小画面を拡大表示することが可能な拡大基準位置を決定する基準位置決定部として機能することが可能である。また、制御部１０２は、上述の拡大基準位置と倍率情報とに基づいて、選択された一の小画面を表示部１−３上に拡大表示させる小画面表示制御部として機能することも可能である。更に、拡大表示された小画面に、受信した番組の内容を示す番組情報及び番組の映像情報（例えば、動画又は静止画）を表示させる受信情報表示制御部としても機能することが可能である。
【０００９】
以下、具体的に制御部１０２の処理を説明する。図２は、制御部１０２の制御の下に実行される本実施形態にかかるによるテレビジョン番組の選局処理のフローチャートである。そして図３は、本実施の形態の多チャンネル表示時の選局における小画面の拡大前と拡大後の例を示す図である。
【００１０】
（複数チャンネル表示と仮選択）
まず、図２のステップＳ２０１において、複数チャンネル表示モードにする。図３（ａ）は、各チャンネルの小画面を多チャンネル表示するモードにしたときの初期状態を示す図であり、チャンネル１の表示領域に不図示のカーソルを移動させるなどして、チャンネル１が仮選択状態にあることを表す（Ｓ２０２）。
【００１１】
ここで、本実施形態では、小画面が選択状態にあるとき（図３（ａ）のチャンネル１）を仮選局とし、仮選局の状態からフル画面に表示を行い、選局したテレビジョン番組を受信するときを本選局とする。図３（ａ）の状態では、テレビジョン受像装置に内蔵される一つのチューナ（チューナ１とする）がチャンネル１に割り当てられ、チャンネル１を動画表示する。もう一つのチューナ（チューナ２）はチャンネル１以外のチャンネルを時系列的に順次受信して静止画化してメモリ１０４に保存する役割を担う。制御部１０２は、メモリ１０４に格納された静止画を各チャンネルに対応する小画面に描画する。そのため、チャンネル１以外の各チャンネルは静止画で表示される。
【００１２】
小画面に描画される静止画は、チューナ２の切り替えが全チャンネル終了し、各チャンネルの静止画がメモリ１０４に保存されると、表示部１−３に表示される各チャンネルに対応した小画面の画像は、最新の静止画像に更新される。このとき、チューナ２は、受信可能なチャンネル全ての画像を受信するのではなく、多画面表示で表示されているチャンネルのみを順次受信するものとする。本実施形態では、１６チャンネルが画面に表示されているが、この１６チャンネル以外に受信可能なチャンネルがある場合にも、画面内に表示されている１６チャンネルのみを順次受信するものとする。
【００１３】
（拡大基準位置決定（図２のＳ２０３））
続いて、処理をステップＳ２０３に進め、制御部１０２は、仮選択した小画面を拡大するための拡大基準位置を決定する。
【００１４】
図５（ａ）は、拡大基準座標（位置）を基にした拡大処理による拡大表示前後の小画面の関係を示している。また、図５（ｂ）は、拡大対象となる小画面と表示部１−３の表示画面全体の位置関係を直交座標系で示したものである。ここで、拡大基準位置は拡大の対象となる小画面の内部に存在するものとする。ここで、選択した小画面をｎ倍に拡大表示する。選択した小画面をｎ倍に拡大表示するということは、拡大基準位置から各辺までの距離をｎ倍とした位置に拡大した小画面を構成する辺を配置することを意味する。この処理によって、小画面の縦、横がそれぞれｎ倍される。拡大基準位置は、表示部９０３上に配置されている各小画面の位置情報（位置座標）や小画面を拡大するための倍率情報（ｎ倍）によりそれぞれ異なるものとなる。
【００１５】
図５（ｂ）に示すように表示画面の左上端を原点（０、０）とし、右方向にｘ軸、下方向にｙ軸をとる。表示画面サイズは横幅Ｗ、縦幅Ｈとし、拡大対象となる小画面の左上座標を（ｘ１、ｙ１）、右下座標を（ｘ２、ｙ２）、中心座標を（ｘｃ、ｙｃ）、横幅ｗｓ、縦幅ｈｓとする。
【００１６】
以下、上述の位置情報（位置座標）及び倍率情報（ｎ倍）における拡大基準位置の決定の流れを説明する。
【００１７】
（拡大基準位置の決定の流れ）
図６は、拡大基準位置を決定するテレビジョン受像装置による処理フローチャートである。図６を用いて、小画面を拡大処理する際の拡大基準位置を決定するフローを説明する。図６（ａ）はｘ軸方向の拡大基準位置を求めるフローチャートであり、図６（ｂ）はｙ軸方向の拡大基準位置を求めるフローチャートである。図６(ａ)、(ｂ)ともに小画面をｎ倍に拡大表示する時の処理の流れを説明するものである。本実施の形態では、小画面の拡大によってその拡大された小画面は表示画面（横幅Ｗ、縦幅Ｈ）からはみ出ることがなくなるように、小画面の拡大率はｍｉｎ（Ｗ/ｗｓ，Ｈ/ｈｓ）を上限とする。
【００１８】
ここで、関数ｍｉｎ（ａ，ｂ）は、ａ、ｂのうち小さい方を返す関数とする。
【００１９】
（ｘ軸方向の拡大基準位置の決定）
ｘ軸方向の拡大基準位置の決定処理について図６（ａ）を参照して説明する。まず、Ｓ６０１において、制御部１０２は、拡大の対象となる小画面の中心座標がテレビ画面の左辺５０１と右辺５０２のどちらに近いかを判別する。
【００２０】
左辺に近い場合（S601-YES）、制御部１０２は、小画面の左辺からテレビ画面の左辺までの距離（ｘ１）と、小画面の中心を拡大基準位置と仮定した時の小画面から左側へ拡大される距離（ws(ｎ-1)/2）とを比較する（Ｓ６０２）。
【００２１】
ｘ１が大きい場合、制御部１０２は、小画面の中心（ｘｃ）をｘ軸方向の拡大基準位置とする（Ｓ６０４）。ｘ１が小さい場合、制御部１０２は、小画面の左辺（ｘ１）からｘ軸の正方向にｘ１移動した位置（2・ｘ1）をｘ軸方向の拡大基準位置とする（Ｓ６０５）。
【００２２】
一方、右辺に近い場合（S601-NO）、制御部１０２は、小画面の右辺からテレビ画面の右辺までの距離（W- x2）と、小画面の中心を拡大基準位置と仮定した時の小画面から右側へ拡大される距離（ws(n-1)/2）を比較する（S603）。
【００２３】
（W-x2）が大きい場合、制御部１０２は、小画面の中心（ｘｃ）をｘ軸方向の拡大基準位置とする（Ｓ６０４）。一方、（W-x2）が小さい場合、制御部１０２は、小画面の右辺（ｘ２）からｘ軸の負方向にＷ−ｘ２移動した位置（Ｗ−２・ｘ２）をｘ軸方向の拡大基準位置とする（Ｓ６０６）。
【００２４】
（ｙ軸方向の拡大基準位置の決定）
続いてｙ軸方向の基準位置をｘ軸方向と同様の手順で図６（ｂ）のフローに従って決定する。
【００２５】
まず、Ｓ６０７において、制御部１０２は、拡大の対象となる小画面の中心座標がテレビ画面の上辺５０３と下辺５０４のどちらに近いかを判別する。
【００２６】
上辺に近い場合（S607-YES）、制御部１０２は、小画面の上辺からテレビ画面の上辺までの距離（ｙ１）と、小画面の中心を拡大基準位置と仮定した時の小画面から上側へ拡大される距離（hs(ｎ-1)/2）とを比較する（Ｓ６０８）。
【００２７】
ｙ１が大きい場合、制御部１０２は、小画面の中心（ｙｃ）をｙ軸方向の拡大基準位置とする（Ｓ６１０）。ｙ１が小さい場合、制御部１０２は、小画面の上辺（ｙ１）からｙ軸の正方向にｙ１移動した位置（2・ｙ1）をｙ軸方向の拡大基準位置とする（Ｓ６１１）。
【００２８】
一方、下辺に近い場合（S607-NO）、制御部１０２は、小画面の下辺からテレビ画面の下辺までの距離（H-ｙ2）と、小画面の中心を拡大基準位置と仮定した時の小画面から下側へ拡大される距離（hs(n-1)/2）を比較する（S609）。
【００２９】
（H-ｙ2）が大きい場合、制御部１０２は、小画面の中心（ｙｃ）をｙ軸方向の拡大基準位置とする（Ｓ６１０）。一方、（H-ｙ2）が小さい場合、制御部１０２は、小画面の下辺（ｙ２）からｙ軸の負方向にH−ｙ２移動した位置（H−2・y2）をｙ軸方向の拡大基準位置とする（Ｓ６１２）。
【００３０】
以上説明したように、小画面の拡大処理において、基本的には小画面の中心が拡大基準位置となる。しかしながら、小画面の中心を拡大基準位置とした場合、拡大時に画面からはみ出してしまうことを避けるため、制御部１０２は、図６（ａ）、（ｂ）の処理により、拡大基準位置を変更する処理が行われる。
【００３１】
なお、本実施形態では、チャンネル１が左上に位置しているため、拡大基準位置を中心とすると上方と左方に画面からはみ出てしまう。従って、左上座標を拡大基準位置とする。左上座標を拡大基準位置とする場合は、小画面から左側へ拡大される距離（ws(ｎ-1)/2）が（2・ｘ1）より大きくなる場合である。なお、表示画面の右辺に対する小画面の基準位置の右上座標の変更も同様にして行われる。また、表示画面の上辺下辺に対する小画面の基準位置の変更に関しても、同様にして拡大した小画面が表示画面からはみ出さないような各頂点への基準位置の変更が行われる。
また、拡大表示する小画面の拡大前の表示位置、拡大表示前の表示サイズはメモリ１０４に格納される。一の小画面の選択が解除された場合、制御部１０２は、選択された一の小画面の位置情報（表示位置、拡大表示前の表示サイズ）に基づいて、前記一の小画面を、拡大表示前のサイズに戻すように縮小表示させる。
【００３２】
本実施形態では、拡大基準位置の算出例を示したが、本実施形態における拡大基準位置決定のプロセスは、図６（ａ）、（ｂ）のフローに限定されるものではない。すなわち、一つの画面上に配置されている、複数の小画面から選択された一の小画面の位置情報と倍率情報とに基づいて、選択された一の小画面を拡大表示することが可能な拡大基準位置を決定することができればよい。
【００３３】
ここで、選択された小画面が拡大表示される際、制御部１０２は、拡大表示における拡大率に達するまで、少しずつ拡大率を変化させて表示する処理を繰り返すことによって、滑らかにズーム表示することが可能である。
【００３４】
（仮選択チャンネルを拡大表示（Ｓ２０４））
（番組内容の表示）
次に、仮選択されたチャンネルの拡大表示に関する処理を説明する。この処理は、図２のＳ２０４に対応するものである。
【００３５】
図３（ｂ）は、左上座標を拡大基準位置としてチャンネル１が拡大表示された状態を示す図である。図３（ｂ）に示すように、拡大表示された領域内（拡大表示領域内）には、制御部１０２の制御の下、チャンネル１の番組内容に対応したメモリ内に記憶されている情報が表示される。本実施形態では、番組内容の情報は、ＥＰＧ（Electronic Program Guide:電子番組ガイド）から取得するものとする。
【００３６】
このとき、番組内容が拡大表示領域内に収まらない場合、制御部１０２は、拡大表示領域内に表示可能な情報だけを表示させてもよいし、拡大表示領域内でスクロール表示させることも可能である。また、制御部１０２は、順次表示内容を、表示可能な情報のものに切り替えて表示させることも可能である。本実施形態において、番組内容は入力部１０１のチューナ部を通して取得することが可能であるが、他の方法により番組内容を取得することも可能である。例えば、ネットワークインタエースを介した通信により、制御部１０２の制御の下、番組内容を取得することも可能である。例えば、テレビジョン受像装置が、インターネットに接続可能な場合、制御部１０２は、ネットワークインタエースを経由して取得した番組内容を拡大表示領域内に表示するようにしてもよい。
【００３７】
また、制御部１０２は、チューナ部から得た番組内容中の単語をキーワードとして、ネットワークインタエースを介してＷＥＢ検索した結果などを拡大表示領域内内に表示させることが可能である。更には、受信チャンネルがデジタル放送であり、チューナ部がデータ放送を受信することが出来る場合、制御部１０２は、その情報を表示させることも可能である。
【００３８】
選択した一つのチャンネルについて、複数の情報を取得可能な場合、テレビジョン受像装置は、どの情報を用いるかといった表示する情報の判別を行うための判別ユニットを備えるようにしてもよい。また、テレビジョン受像装置は、拡大表示領域内に、特定の情報（例えば、ユーザの指定する番組内容やその内容に関連する情報等）を表示するように設定する設定ユニットを設けてもよい。制御部１０２は、判別ユニットの判別結果、設定ユニットで設定された特定の情報に基づいて、取得した番組内容を拡大表示領域内に表示するための表示制御が可能である。
【００３９】
（拡大表示領域と他の小画面の表示制御）
また、拡大表示されたチャンネル１は、チャンネル３、８、１０の小画面の表示領域と重なるため、制御部１０２は、重なった部分についてチャンネル１を半透明にして表示することができるものとする。すなわち、制御部１０２は、チャンネル１の拡大表示と、重なった部分（チャンネル３、８、１０）の表示と、を双方見える状態にして画面上に各領域を表示させることができるものとする。チャンネル１の拡大表示領域とチャンネル３、８、１０の小画面の表示領域とが重なる場合において、図３（ｂ）は、拡大表示領域が半透明に表示制御されている状態を示している。
【００４０】
制御部１０２は、拡大表示処理の開始により、ｘ軸及びｙ軸方向の拡大基準位置を求め、仮選択したチャンネルの拡大表示領域と、選択されていない他の小画面の表示領域とが重なる領域の有無を判定する。制御部１０２は、重なりがあると判定した場合、その領域を重なり領域として決定し、重なり領域における表示を制御することが可能である。
【００４１】
例えば、制御部１０２は、一の小画面の拡大表示と、重なり領域に対応する他の小画面の表示とを、表示部９０３上に表示させることが可能である。
【００４２】
あるいは、制御部１０２は、一の小画面を拡大表示させて、他の小画面を覆い、他の小画面を非表示とするように制御することも可能である。
【００４３】
図３（ｂ）の場合、重なり領域は、チャンネル３、８及び１０に対応する領域である。制御部１０２は、この重なり領域に対応する拡大表示領域の透明度を、拡大表示領域の表示と、重なり領域の他の小画面表示とが双方見えるように（半透明に）変更して表示制御する。
【００４４】
図３（ｂ）において、制御部１０２は拡大表示領域を半透明で表示しているが、図４に示すように、チャンネル１の拡大表示領域と重なる重なり領域の表示を覆い画面上で見えなくするように、拡大表示領域の透明度を変更して表示制御することも可能である。この場合、制御部１０２は、仮選択により拡大表示する小画面（この場合、チャンネル１）を他の小画面より前面に表示するように表示制御する。
【００４５】
仮選択により拡大表示された小画面には、制御部１０２の制御の下、受信した番組の内容を示す番組情報（例えば、番組のジャンルや番組名等を含む）及び番組の映像情報（番組の動画または静止画が含まれる）が表示される。
【００４６】
また、制御部１０２は、選択が解除された一の小画面、または選択されていない他の小画面に対する表示を、受信した番組の静止画により順次更新する。
【００４７】
図３（ａ）の場合、チューナ１で受信される情報は仮選択されて拡大されたチャンネル１の拡大表示領域内に動画として表示される。また、チューナ２は、チャンネル１以外のチャンネルに対応する情報を順次受信して、静止画化してメモリ１０４に保存し、チャンネル１以外の各チャンネルに対応する各小画面内には静止画が表示され、情報の受信に応じて静止画の表示は順次更新される。
【００４８】
図３（ｂ）や図４の場合、チューナ２は、チャンネル１の拡大表示によって、重なり領域となるチャンネル３、８、１０を除いた他のチャンネルを順次受信するように受信チャンネルを切り替えることも可能である。制御部１０２は、他のチャンネルに対応する小画面の表示を、受信した番組の静止画により順次更新する。
【００４９】
また、チューナ２は、重なり領域として、背面側に隠れるチャンネル３、８、１０に関しては、情報の受信を行わないように受信を制限する制御が可能である。この場合、制御部１０２は、背面側に隠れて非表示となるチャンネル３、８、１０に対応する小画面の静止画表示の更新を行わないように表示を制御する。
【００５０】
（仮選局状態でのチャンネルの変更（図２のＳ２０５、２０６、２０７））
次に、図７を用いて仮選局状態でのチャンネルの変更と選局確定までの処理を説明する。この処理は、図２のＳ２０５、２０６、２０７に対応するものである。
【００５１】
図７（ａ）は図３（ｂ）と同様にチャンネル１が仮選択されて拡大表示された状態を示している。チューナ１は仮選択されたチャンネル１に割り当てられ、拡大表示領域内で、チャンネル１の番組が動画表示される。
【００５２】
拡大表示領域中において、動画像を表示させることで、仮選択したチャンネルの番組内容を、視線の移動を少なく直感的に番組内容を把握して、選局することが可能になり、選局の利便性が向上する。
【００５３】
チャンネル１の拡大表示領域内には、制御部１０２の制御の下、現在チャンネル１で放送中の番組情報として、番組のジャンル「ニュース」（７０１）と番組名「ニュースモーニング」（７０２）とが表示される。
【００５４】
仮選局したチャンネルの拡大表示領域中に、番組情報のテキスト表示のフォントを大きく表示すること、テキストの文字数を多く表示することが可能となる。これにより、ユーザは、番組内容の把握が容易になる。
【００５５】
図７（ａ）の状態から、リモートコントローラ等で、下方向へチャンネルの選択が指示されると、仮選局チャンネルは、チャンネル１からチャンネル８に変更される（図７（ｂ））。制御部１０２の表示制御により、チャンネル８の小画面が拡大表示領域７０３となり。制御部１０２は、仮選択されたチャンネル８に対して、チャンネル１の場合と同様に、ｘ軸及びｙ軸方向の拡大基準位置を決定し、決定した拡大基準位置及び拡大率に基づいてチャンネル８の小画面を拡大表示する。チャンネル８の場合、拡大表示領域７０３のｙ軸方向中央部、ｘ軸方向左端（図７（ｂ）中の点Ｐ１）が、拡大基準位置となる。
【００５６】
既に仮チャンネル（前仮選択チャンネル）が選択されている場合（図２のＳ２０５−ＹＥＳ）、前仮選択チャンネル１の画面は拡大前の小画面７０４に縮小表示される（Ｓ２０６）。ステップＳ２０６における縮小表示において、制御部１０２は、メモリ１０４に格納されたチャンネル１の拡大表示前の表示位置、表示サイズを基に拡大表示領域を小画面に戻す縮小表示処理を行う。
【００５７】
一方、前仮選択チャンネルがない場合（Ｓ２０５−ＮＯ）、制御部１０２は、ステップＳ２０７の選局決定に処理を進める。
【００５８】
仮選択チャンネルの変更により、チューナ１は、チャンネル１からチャンネル８に割り当てられる。拡大表示領域７０３には、チューナ１により受信されるチャンネル８に対応する番組内容が動画表示され、更に、番組のジャンル「バラエティ」（７０５）及び番組名「クイズ１００問」（７０６）が、番組情報として表示される。
【００５９】
また、チャンネル１には、チューナ１がチャンネル８に切り替わる直前に受信した番組内容が静止画化された映像が表示され、更に、拡大表示領域中に表示されていた、番組情報（７０１、７０２）は非表示に制御される。
【００６０】
チューナ２は、仮選局されたチャンネル８及びチャンネル８の拡大表示によって重なり領域として背面に隠れるチャンネル１、３、１０、ＢＳ５、ＢＳ７以外のチャンネルを順次受信するように受信チャンネルを切り替える。チューナ２により受信される各チャンネルの番組内容は、制御部１０２の制御の下、静止画として各小画面に表示される。
【００６１】
図７（ｂ）のチャンネル８が仮選択されている状態から、更に、リモートコントローラ等で、右方向へチャンネルの選択が指示されると、仮選局チャンネルは、チャンネル８からチャンネル１０に変更される（図７（ｃ））。
【００６２】
制御部１０２の表示制御により、チャンネル１０の小画面が拡大表示領域７０７となり。制御部１０２は、仮選択されたチャンネル１０に対して、チャンネル１、８の場合と同様に、ｘ軸及びｙ軸方向の拡大基準位置を決定し、決定した拡大基準位置及び拡大率に基づいてチャンネル１０の小画面を拡大表示する。チャンネル１０の場合、拡大基準位置は拡大表示領域内の中心である点Ｐ２となる。
【００６３】
前仮選択チャンネル８の画面は拡大前の小画面に縮小表示される（この処理は、Ｓ２０６に対応する）。縮小表示において、制御部１０２は、メモリ１０４に格納されたチャンネル８の拡大表示前の表示位置、表示サイズをもとに、拡大表示領域を小画面に戻す縮小表示処理を行う。
【００６４】
仮選択チャンネルの変更により、チューナ１は、チャンネル８からチャンネル１０に割り当てられる。拡大表示領域７０７には、チューナ１により受信されるチャンネル１０に対応する番組内容が動画表示され、更に、番組のジャンル「スポーツＷ杯予選」（７０８）及び番組名「日本ＶＳバーレーン」（７０９）が、番組情報として表示される。
【００６５】
また、チャンネル８には、チューナ１がチャンネル１０に切り替わる直前に受信した番組内容が静止画化された映像が表示され、更に、拡大表示領域中に表示されていた、番組情報（７０５、７０６）は非表示に制御される。
【００６６】
チューナ２は、仮選局されたチャンネル１０及びチャンネル１０の拡大表示によって重なり領域として背面に隠れるチャンネル１、３、４、８、１２、ＢＳ５、ＢＳ７、ＢＳ１１以外のチャンネルを順次受信するように受信チャンネルを切り替える。チューナ２により受信される各チャンネルの番組内容は、制御部１０２の制御の下、静止画として各小画面に表示される。
【００６７】
図７（ｃ）の仮選局状態で、リモートコントローラ等により確定操作が指示されると仮選局されているチャンネル１０が最終的に選局（選局決定）される（図２のＳ２０７−ＹＥＳ）。
【００６８】
ステップＳ２０７で、選局決定されると（Ｓ２０７−ＹＥＳ）、処理はステップＳ２０８に進められ、制御部１０２の制御の下、複数チャンネル表示モードから、単一チャンネル表示モードに切り替えられる（Ｓ２０８）。
【００６９】
制御部１０２は、テレビジョン受像装置の表示部１０３上の複数チャンネルに対応した小画面表示を非表示として、選局決定されたチャンネルを単一画面に表示するように表示制御する。図７（ｄ）は、選局決定されたチャンネル１０が表示部１０３に単一画面として表示制御された状態を示す図である。
【００７０】
単一チャンネルが単一画面に表示される場合、番組内容は、チューナ１を用いて受信される。この場合、チューナ２は、チャンネル１０以外の裏番組の内容を順次受信して静止画化してメモリ１０４に格納してもよいし、選局決定により、チューナ２は、受信タイミングを切り替えたり、番組内容を受信しないように受信を制御することも可能である。
【００７１】
一方、図２のＳ２０７において、仮選局の状態で確定操作が指示されない場合（Ｓ２０７−ＮＯ）、リモートコントローラ等の操作により仮選局チャンネルの変更が更に可能な状態となる（図２のＳ２０２）。
【００７２】
チャンネル１０の仮選局の状態から（図７（ｃ））、選局決定されずに、更に、リモートコントローラ等に右方向へ選択が指示されると、仮選局チャンネルは、チャンネル１０からチャンネル１２に変更される（図７（ｅ））。
【００７３】
この場合、制御部１０２の表示制御により、チャンネル１２の小画面が拡大表示領域７１０となる。制御部１０２は、仮選択されたチャンネル１２に対して、チャンネル１、８、１０の場合と同様に、ｘ軸及びｙ軸方向の拡大基準位置を決定し、決定した拡大基準位置及び拡大率に基づいてチャンネル１２の小画面を拡大表示する。
【００７４】
仮選択チャンネルの変更により、チューナ１は、チャンネル１０からチャンネル１２に割り当てられる。拡大表示領域７１０には、チューナ１により受信されるチャンネル１２に対応する番組内容が動画表示され、更に、番組のジャンル「ドラマサスペンス」（７１１）及び番組名「京都サスペンス」（７１２）が、番組情報として表示される。
【００７５】
また、チャンネル１０には、チューナ１がチャンネル１２に切り替わる直前に受信した番組内容が静止画化された映像が表示され、更に、拡大表示領域中に表示されていた、番組情報（７０８、７０９）は非表示に制御される。
【００７６】
チューナ２は、仮選局されたチャンネル１２及びチャンネル１２の拡大表示によって重なり領域として背面に隠れるチャンネル３、４、６、１０、１４、ＢＳ７、ＢＳ１１以外のチャンネルを順次受信するように受信チャンネルを切り替える。チューナ２により受信される各チャンネルの番組内容は、制御部１０２の制御の下、静止画として各小画面に表示される。
【００７７】
（変形例）
本実施形態では、滑らかなズームにより、小画面を拡大表示するとして説明したが、拡大のための表示制御は、必ずしもこの形式に限定されるものではない。例えば、ｘ軸方向及びｙ軸方向の拡大率を求め、小画面の表示から直接的に所定の拡大率の条件を満たす拡大領域表示サイズを求めて、表示を切り替えてもよい。
【００７８】
また、上述の本実施形態では、仮選局されたチャンネルの拡大表示領域と重なる領域の小画面に関して、チューナ２は、番組内容の受信を行わないようにすると説明した。しかしながら、チューナ２の受信制御は、これに限定されず、拡大表示領域により覆われる部分の面積と各小画面の面積を基準として受信を制御するようにしてもよい。各面積を制御部１０２の制御の下に算出して、小画面のうち所定の面積が覆われるか否かを閾値として、チューナ２は重なり領域の番組内容の受信を制御することができる。
【００７９】
例えば、拡大表示領域により覆われる面積が閾値を超える小画面に対して、チューナ２は、番組内容を受信しないように制御することも可能である。これにより、制御部１０２は、受信されないチャンネルに対応する小画面を非表示に制御する。
【００８０】
また、本実施形態では、チューナを二つ備える構成について説明したが、チューナを一つしか備えない場合、動画表示にチューナを占有せずに、選択されていない他のチャンネルと同様に、仮選択されたチャンネルに対して静止画を表示するようにしてもよい。
【００８１】
また、チューナを一つしか備えない場合、小画面を拡大表示する領域の動画像表示のためにチューナを占有し、選択されていない他のチャンネルの静止画表示を受信しないように受信を制御することも可能である。単一チャンネル表示モード（動画表示）から複数チャンネル表示モード（静止画表示）に切り替える場合、チューナは、静止画表示に必要な番組内容を順次受信する必要がある。
【００８２】
また、本実施形態では、チューナを二つ備える構成について説明したが、チューナを三つ以上備えるテレビジョン受像装置の場合にも適用することが可能である。この場合、制御部１０２は、多画面表示の背景や、多画面表示の一部領域に、多画面表示にする直前に受信していたチャンネルの映像を動画で流すために第三のチューナを割り当てて、表示制御することが可能である。また、制御部１０２は、拡大表示前の任意の小画面に対して、第三のチューナを割り当てて動画表示させることも可能である。
【００８３】
以上説明したように、本実施形態によれば、多画面表示状態において、選局中に番組の内容を把握し易くし、視線の移動が少ない選局の利便性に優れたテレビジョン受像装置等の提供が可能になる。
【００８４】
また、本実施形態によれば、多画面表示状態において、仮選局したチャンネルの小画面を拡大表示することにより、番組内容を示すテキスト表示のフォントを大きく表示し、テキストの文字数を多く表示して、番組情報量を増やすことが可能となる。これにより、仮選局した番組の内容の把握が容易になる。
【００８５】
また、拡大表示領域中において、動画像を表示させることで、仮選択したチャンネルの番組内容を、視線の移動を少なく直感的に把握することが可能になる。これにより、チャンネル選局の利便性が向上する。
【００８６】
＜実施形態２＞
次に、本発明の第２実施形態を説明する。テレビジョン受像装置の構成は実施形態１と同様であるので説明は省略する。本実施形態に係るテレビジョン受像装置において、制御部１０２は、指定された番組情報と、受信した番組情報とが一致するか判定する判定部として機能する。
【００８７】
図８は、拡大表示前の小画面の表示形態を変えて表示する多画面表示状態を示す図である。ユーザは予め、リモートコントローラ等の操作により、メモリ部１０４にお気に入りのジャンルを登録しておくことが可能である。ジャンルは「スポーツ」、「ドラマ」など、チューナ１、２を介して取得可能な番組情報に含まれるものである。
【００８８】
本実施形態において、ユーザは、ジャンルとして「スポーツ」を登録しているとする。制御部１０２の判定により、多画面表示で表示されるチャンネルのうち、チャンネル４（８０１）とチャンネル８（８０２）のジャンルが「スポーツ」で、お気に入りの登録と一致している。
【００８９】
制御部１０２は、判定によりお気に入りとして指定された番組情報（例えば、番組のジャンル）と、受信した番組情報とが一致する場合、受信した番組情報を表示する小画面の表示サイズを拡大することが可能である。また、制御部１０２は、受信した番組情報を表示する小画面の配置を変更することが可能である。
【００９０】
多画面表示状態において、制御部１０２は、メモリ部１０４に登録されているジャンルと、小画面表示される各チャンネルの番組情報のジャンルとを比較して、比較結果に基づいて多画面表示を制御する。図８（ａ）は、お気に入りとして登録されているジャンルと一致するチャンネル４（８０１）とチャンネル８（８０２）が、制御部１０２の制御の下、通常の小画面表示よりも大きく表示された状態を示す図である。ここで、拡大表示する場合の拡大基準位置の決定方法については第1実施形態１と同様であるので、ここでは説明を省略する。尚、この場合の拡大率は、仮選局時の拡大率より小さいことが好ましい。
【００９１】
図８（ｂ）は、お気に入りとして登録されているジャンルと一致するチャンネル４とチャンネル８が、制御部１０２の制御の下、多画面表示における小画面の配列の先頭に配置された状態を示す図である。制御部１０２は、お気に入りとして指定した番組のジャンルと一致するチャンネルの小画面を、ユーザに見やすい位置に配置を変更する。これにより、チャンネル選局の利便性が向上する。
【００９２】
（変形例）
尚、図８（ａ）、（ｂ）の多画面表示状態から、仮選局、仮選局の変更、選局の決定は第1実施形態で説明した手順と同様である。
【００９３】
図８（ａ）の仮選局時のおける拡大表示において、制御部１０２は、お気に入りのジャンルに対応するチャンネルと、他のチャネルとで、一定の拡大率で表示制御することが可能である。また、制御部１０２は、拡大表示時の領域サイズが一定になるように、お気に入りに対応するチャンネル（４、８）と、他のチャンネルとで、拡大率を異なるように設定することも可能である。
【００９４】
図８（ａ）、（ｂ）の多画面表示において、制御部１０２は、お気に入りの判定の基礎となったキーワードを小画面内や表示部１０３上の表示画面内に表示させることも可能である。
【００９５】
本実施形態では、お気に入りのジャンルを登録して、得られた番組情報と一致するか判定したが、比較の対象は番組情報から抽出可能なものであればよく、番組情報を構成する番組名や出演者名などをキーワードとすることも可能である。
【００９６】
また、ユーザは、お気に入りとは逆に興味のないジャンルをメモリ部１０４に登録して、制御部１０２は、この登録情報と取得した番組情報とを比較してもよい。この場合、制御部１０２は、お気に入りでないチャンネルの小画面のサイズを縮小表示させたり、ユーザに見にくい位置（小画面の配列の最後部）に小画面を配置するように表示制御することも可能である。
【００９７】
本実施形態によれば、ユーザの嗜好性に関する情報と番組情報とを比較し、その比較結果に基づいて小画面の表示サイズや表示位置を制御することによりユーザの嗜好に合った多画面表示が可能となり、チャンネル選択の利便性が向上する。
【００９８】
（他の実施形態）
なお、本発明の目的は、前述した実施形態の機能を実現するソフトウェアのプログラムコードを記録した記憶媒体を、システムあるいは装置に供給することによっても、達成されることは言うまでもない。また、システムあるいは装置のコンピュータ（またはＣＰＵやＭＰＵ）が記憶媒体に格納されたプログラムコードを読出し実行することによっても、達成されることは言うまでもない。
【００９９】
この場合、記憶媒体から読出されたプログラムコード自体が前述した実施形態の機能を実現することになり、そのプログラムコードを記憶した記憶媒体は本発明を構成することになる。
【０１００】
プログラムコードを供給するための記憶媒体としては、例えば、フレキシブルディスク，ハードディスク，光ディスク，光磁気ディスク，ＣＤ−ＲＯＭ，ＣＤ−Ｒ，不揮発性のメモリカード，ＲＯＭなどを用いることができる。
【０１０１】
また、コンピュータが読出したプログラムコードを実行することにより、前述した実施形態の機能が実現される。また、プログラムコードの指示に基づき、コンピュータ上で稼働しているＯＳ（オペレーティングシステム）などが実際の処理の一部または全部を行い、その処理によって前述した実施形態が実現される場合も含まれることは言うまでもない。
【図面の簡単な説明】
【０１０２】
【図１】本実施形態のテレビジョン受像装置の構成を示すブロック図である。
【図２】第1実施形態にかかるによる番組選局のフローチャートである。
【図３】多チャンネル表示時の選局における小画面の拡大前と拡大後の例を示す図である。
【図４】第1実施形態にかかる拡大表示の制御を説明する図である。
【図５】（ａ）は、拡大基準座標（位置）を基にした拡大処理による拡大表示前後の小画面の関係を示し、（ｂ）は、拡大対象となる小画面とテレビ画面の位置関係を直交座標系で示す図である。
【図６】本発明の実施形態にかかる拡大基準位置を決定する処理のフローチャートである。
【図７】仮選局状態でのチャンネルの変更及び選局確定を説明する図である。
【図８】第２実施形態にかかる多画面表示における表示制御を説明する図である。
【図１】
2007060555.tif 000003
【図２】
2007060555.tif 000004
【図３】
2007060555.tif 000005
【図４】
2007060555.tif 000006
【図５】
2007060555.tif 000007
【図６】
2007060555.tif 000008
【図７】
2007060555.tif 000009
【図８】
2007060555.tif 000010